(57)【要約】【課題】本発明は、商品を計測・試験する装置等からのデータを、通信回線で繋がった生産者等の端末から入手できること、また、商品を計測・試験する装置からのデータ及びその他商品固有のデータ等を、商品に判別できるマーク等を付けて、そのマークを読み取ることができる装置または商品に付けた番号等を使用して、通信回線を通じて商品のデータを消費者側が入手できることを目的としている。【解決手段】上記目的を達成するために本発明は、商品を計測・試験する装置等からのデータを、通信回線を通じて直接地理情報システムのデータ用に変換するサーバに電送し、その他のデータを加えて地理情報システム用データに変換し、そのデータを地理情報システムデータ保存用サーバに電送してデータを蓄積し、通信回線で繋がった生産者等の端末から地理情報、各種分析データ等を入手できるようにした方法である。【選択図】　　　　　図１
2004094902.tif 000002
【特許請求の範囲】
【請求項１】
商品を計測・試験する装置等からのデータを、通信回線を通じて直接地理情報システムのデータ用に変換するサーバに電送し、その他のデータを加えて地理情報システム用データに変換し、変換したデータを、地理情報システムデータ保存用サーバに電送してデータを蓄積し、通信回線で繋がった生産者等の端末から地理情報、各種分析データ等を入手できることを特徴とする商品を計測・試験する装置等からのデータを通信回線を通じて生産者等に提供する方法。
【請求項２】
上記請求項１に記載の、地理情報システムデータ保存用サーバと、販売者、流通者、消費者等のデータ通信回線に繋がった端末とからなるネットワーク上で、端末から商品のデータを知る方法であって、（１）商品のデータを、上記請求項１に記載の、地理情報システムデータ保存用サーバに蓄積するステップ、（２）生産者が商品を判別できるマークを商品に付けるステップ、（３）消費者が商品を判別できるマークをそのマークを読み取ることができる装置または商品に付けた番号等を使用して、通信回線を通じて商品のデータを、上記請求項１に記載の、地理情報システムデータ保存用サーバに請求するステップ、（４）請求された商品のデータを、上記請求項１に記載の、地理情報システムデータ保存用サーバで自動検索し、通信回線を通じて請求者に送信するステップ、（５）情報を請求された商品の請求回数、購入決定情報等を通信回線を通じて生産者側に送信するステップからなることを特徴とする商品を計測・試験する装置等からのデータを通信回線を通じて消費者等に提供する方法。
【発明の詳細な説明】
【０００１】
【発明の属する技術分野】
本発明は、商品を計測・試験する装置等からの情報を通信回線を通じて生産者等に提供する方法と商品を計測・試験する装置等からのデータを通信回線を通じて消費者等に提供する方法に関する。
【０００２】
【従来の技術】
従来の商品を計測・試験する装置からの情報は、個別に整理され生産者等に提供されているが、通信回線上で自動的に商品を計測・試験する装置からの情報を加工して提供する方法は無かった。
【０００３】
【発明が解決しようとする課題】
従来の商品を計測・試験する装置からのデータは、個別に整理され生産者等に提供されているが、商品を計測・試験する装置から直接データを、通信回線を通じてサーバに電送し、地理情報システム、その他条件を複合的に考え合わせて分析したデータを、通信回線を通じて生産者等に提供するシステムは無く、正確でリアルタイムな商品の分析は難しかった。
【０００４】
また、商品を計測・試験する装置からのデータ及びその他商品固有のデータ等を、商品に判別できるマーク等を付けて、そのマークを読み取ることができる装置または商品に付けた番号等を使用して、通信回線を通じて商品のデータを消費者側が入手できるシステムは無かった。
【０００５】
本発明は、商品を計測・試験する装置等からのデータを、通信回線を通じて直接地理情報システムのデータ用に変換するサーバに電送し、その他のデータを加えて地理情報システム用データに変換し、いろいろな角度からの商品分析データを、地理情報システムデータ保存用サーバに電送してデータを蓄積し、通信回線で繋がった生産者等の端末から地理情報、各種分析データ等を入手できることを目的としている。
【０００６】
【課題を解決するための手段】
上記目的を達成するために本発明は、商品を計測・試験する装置等からのデータを、通信回線を通じて直接地理情報システムのデータ用に変換するサーバに電送し、その他のデータを加えて地理情報システム用データに変換し、いろいろな角度からの商品分析データを地理情報システムデータ保存用サーバに電送してデータを蓄積し、通信回線で繋がった生産者等の端末から地理情報、各種分析データ等を入手できるようにした方法である。
【０００７】
商品を計測・試験する装置等からのデータは、直接通信回線を通じて地理情報システムのデータ用に変換するサーバに電送される。
【０００８】
地理情報システムのデータ用に変換するサーバでは、商品を計測・試験する装置等からのデータ並びに商品の生産者、生産日、商品の特徴、商品を生産した気象条件、加工方法、管理方法等のデータを蓄積しており、それらを自動で商品分析用データとして生成し、地理情報システム等のデータとしてデータを変換する。
【０００９】
次に、商品を計測・試験する装置等からのデータ等を蓄積するサーバから、データは、通信回線を通じて地理情報システムデータ保存用サーバに電送し、通信回線で繋がった生産者等の端末から地理情報、各種分析データ等を入手できるようにした方法である。
【００１０】
商品のデータは、商品毎に作成され、商品毎に後で個別の商品のデータを検索できるように、検索用のマークを付けておく。
【００１１】
マークは、バーコード、数字、記号、図形等でなっており商品を一つ一つ識別できるようにする。
【００１２】
マークを読み取る装置は、専用の読み取り装置でも、携帯電話を利用したもの等でも良く、場合によっては数字を端末に手入力することによっても良い。
【００１３】
マークの入力によって、通信回線を通じてサーバに自動でアクセスし、個別の商品情報を検索する仕組みとする。
【００１４】
【発明の実施の形態】
発明の実施の形態を実施例にもとづき説明する。
実施例は、商品を計測・試験する装置として、非破壊選果機１を使用し、果樹の糖度、酸度、大きさを自動的に測定可能となっている。
【００１５】
非破壊選果機１で測定したデータは、自動的に通信回線を使用して、地理情報システムのデータ用に変換するサーバ２に電送される。
【００１６】
サーバ２では、非破壊選果機１で測定したデータ及び表１〜表４のようなデータを蓄積し、商品分析データ、地理情報システムデータが自動的に生成される。
2004094902.tif 000003
2004094902.tif 000004
【００１７】
サーバ２に蓄積され生成されたデータは、地理情報システムデータ保存用サーバ３に通信回線を通じて電送される。
【００１８】
地理情報システムデータ保存用サーバ３は、果樹が生産される地域の地図上に、サーバ２から電送された果樹の情報が埋め込まれており、通信回線に繋がれている端末４には、図−２のような画面が表示される。
【００１９】
非破壊選果機１を通過した果樹は、一つ一つまたは箱ごとに商品を判別できるマークを付け、消費者、流通業者等が商品のデータを得ることができるようになっている。
【００２０】
商品を判別できるマークを読み取り機にかけ、マークが持つ特定商品の番号等を頼りに、端末４から地理情報システムのデータ保存用サーバ３に、マークが示す商品を照会し、地理情報システムのデータ保存用サーバ３にて商品情報を検索して、端末４に電送する。
【００２１】
【発明の効果】
本発明は、以上説明したように構成されているので、以下に記載されるような効果を奏する。
【００２２】
商品を計測・試験する装置等からのデータと、いろいろな角度からの商品分析データを、地理情報システムデータ保存用サーバに電送してデータを蓄積し、通信回線で繋がった生産者等の端末から地理情報、各種分析データ等を簡単に入手することができる。
【００２３】
また、消費者、流通業者等が商品に付けたマークを利用して、商品の情報を簡単に入手することができる。
【００２４】
さらに、情報提供者からの情報を生産者側で入手することができ、次の商品開発に役立てることができる。
【図面の簡単な説明】
【図１】商品を計測・試験する装置等からのデータを通信回線を通じて生産者等に提供する方法の説明図
【図２】サーバ３に蓄積されたデータを表示するシステムの画面
【符号の説明】
１　非破壊選果機
２　地理情報システムのデータ用に変換するサーバ
３　地理情報システムデータ保存用サーバ
４　端末
【図１】
2004094902.tif 000005
【図２】
2004094902.tif 000006